(57)【要約】【課題】利便性を向上させる電動遮蔽装置操作用の移動端末向けプログラム、移動端末、及び電動遮蔽装置用制御システムを提供する。【解決手段】本発明による電動遮蔽装置７操作用の移動端末１向けプログラムは、操作対象の電動遮蔽装置７における所定の自動動作の直前に通知を行うよう電動遮蔽装置７に対し設定する自動動作設定１１２、当該通知を監視する自動動作直前通知監視部１１３、当該通知に応じてユーザーに問い合わせる問い合わせ部１１４、及びその問い合わせの応答に応じて当該自動動作の実行又は非実行を当該電動遮蔽装置７に発信する自動動作実行判定指示部１１５を当該移動端末１に機能させる。また、本発明による移動端末１向けプログラムは、電動遮蔽装置７における所定のタイマー遠隔動作を時計アプリケーションにおけるアラーム設定に連動させる手段を当該移動端末１に機能させる。【選択図】図３
2020172789.tif 000002
【特許請求の範囲】
【請求項１】
電動遮蔽装置操作用の移動端末向けプログラムであって、
操作対象の電動遮蔽装置における所定動作を所定時刻で自動制御するための所定のタイマー設定又は所定スケジュールで自動制御するためのスケジュール設定、或いは外部センサーに基づく自動動作の直前に該自動動作を行う直前状態にある旨を示す自動動作直前通知を当該通信端末に行うよう、当該操作対象の電動遮蔽装置に対し該自動動作の設定を行う自動動作設定手段と、
当該操作対象の電動遮蔽装置からの自動動作の直前に自動動作を行う直前状態にある旨を示す自動動作直前通知の受信を監視する自動動作直前通知監視手段と、
前記自動動作直前通知の受信時に、当該移動端末に対する音声又は表示画面上のポップアップ表示、或いは連携するスマートスピーカーに対する音声によりユーザーに対し自動動作の実行拒否又は実行応諾に関する問い合わせを行う問い合わせ手段と、
前記問い合わせの応答に応じて当該自動動作の実行又は非実行を指示する信号を当該操作対象の電動遮蔽装置に発信する自動動作実行判定指示手段と、
を当該移動端末に機能させるためのプログラム。
【請求項２】
前記自動動作実行判定指示手段は、前記問い合わせの応答として当該自動動作の実行応諾の応答時、又は未応答で所定時間経過時に、当該自動動作設定に係る所定動作を実行可として判定して当該自動動作の実行を指示する信号を当該操作対象の電動遮蔽装置に発信し、或いは実行拒否の応答時に、当該自動動作の非実行を指示する信号を当該操作対象の電動遮蔽装置に発信する機能を有することを特徴とする、請求項１に記載のプログラム。
【請求項３】
電動遮蔽装置操作用の移動端末向けプログラムであって、
操作対象の電動遮蔽装置における所定動作を所定時刻で自動制御するための所定のタイマー設定を当該移動端末からの遠隔操作とするタイマー遠隔動作の設定を行うタイマー遠隔動作設定手段と、
前記タイマー遠隔動作が当該移動端末にインストールされている時計アプリケーションにおけるアラーム設定と連動するよう、前記時計アプリケーションとの連携を設定する時計アプリケーション連携設定手段と、
前記時計アプリケーションにおけるアラーム設定によるアラーム時刻、又はアラームの起動、或いはアラームの解除を、前記タイマー遠隔動作を実行する契機として監視するアラーム監視手段と、
前記タイマー遠隔動作を実行する契機時に、前記タイマー遠隔動作を実行する信号を当該操作対象の電動遮蔽装置に発信するタイマー遠隔動作実行手段と、
を当該移動端末に機能させるためのプログラム。
【請求項４】
前記タイマー遠隔動作設定手段は、前記アラーム時刻が複数設定されている際に個々のアラーム時刻に応じた前記電動遮蔽装置の所定動作を行うよう、区分された時刻範囲で当該タイマー遠隔動作の設定を行う手段を有することを特徴とする、請求項３に記載のプログラム。
【請求項５】
前記タイマー遠隔動作実行手段は、
前記タイマー遠隔動作を実行する直前に、当該移動端末に対する音声又は表示画面上のポップアップ表示、或いは連携するスマートスピーカーに対する音声によりユーザーに対し自動動作の実行拒否又は実行応諾に関する問い合わせを行う手段と、
前記問い合わせの応答として、実行応諾の応答時、又は未応答で所定時間経過時に、当該タイマー遠隔動作を実行する信号を当該操作対象の電動遮蔽装置に発信する手段と、
を有することを特徴とする、請求項３又は４に記載のプログラム。
【請求項６】
前記タイマー遠隔動作実行手段は、該タイマー遠隔動作を実行する信号を発信する前に、当該操作対象の電動遮蔽装置に対して状態確認要求を示す信号を発信し、その応答として得られる遮蔽材の開閉状態を示す状態情報から当該タイマー遠隔動作における動作設定の状態にあるか否かを判定し、当該動作設定の状態にないと判定したときのみ当該タイマー遠隔動作を実行する信号を当該操作対象の電動遮蔽装置に発信する手段を有することを特徴とする、請求項３から５のいずれか一項に記載のプログラム。
【請求項７】
請求項１から６のいずれか一項に記載の電動遮蔽装置操作用の移動端末向けプログラムがブラインド操作専用アプリケーションとしてインストールされていることを特徴とする移動端末。
【請求項８】
請求項７に記載の移動端末と、該移動端末からの操作で遮蔽材を開閉動作する電動遮蔽装置とを備えることを特徴とする電動遮蔽装置用制御システム。
【発明の詳細な説明】
【技術分野】
【０００１】
本発明は、電動遮蔽装置操作用の移動端末向けプログラム、移動端末、及び電動遮蔽装置用制御システムに関する。
【背景技術】
【０００２】
従来、スマートフォンやタブレット等の移動端末を用いて、電動式の縦型又は横型ブラインド、ロールスクリーン、カーテン、ローマンシェード等の屋内の電動遮蔽装置を制御可能とするシステムが知られている。
【０００３】
尚、電動遮蔽装置のスケジュール設定動作（タイマー設定動作を含む）に関するリモコン装置も知られており（例えば、特許文献１参照）、この機能は移動端末に転用できる。
【０００４】
特に、移動端末によりタイマー設定で電動遮蔽装置における遮蔽材の開閉を制御する技法が開示されている（例えば、特許文献２参照）。
【０００５】
更に、電動遮蔽装置の一種として、日照センサー等の外部センサーの動作条件検知に基づき遮蔽材の開閉を自動制御できるものもある。
【先行技術文献】
【特許文献】
【０００６】
【特許文献１】特開２００８− ８１０２号公報
【特許文献２】特開２０１７−３４４１９号公報
【発明の概要】
【発明が解決しようとする課題】
【０００７】
上述したように、特許文献１には電動遮蔽装置のスケジュール設定動作に関するリモコン装置について開示されており、この機能は移動端末に転用できる。また、上述したように、電動遮蔽装置の形態には、スケジュール設定動作やタイマー設定動作の他、日照センサー等の外部センサーの動作条件検知に基づき自動制御できるものもある。しかし、ユーザーの時事の都合によっては、これらのタイマー設定やスケジュール設定、或いは外部センサーに基づく自動制御で、電動遮蔽装置が動作して欲しくはない場合もあるという問題がある。
【０００８】
また、特許文献２に開示されるように、移動端末によりタイマー設定で電動遮蔽装置における遮蔽材の開閉を制御する技法では、例えば起床時刻に電動遮蔽装置を上昇させたい場合、ユーザーは移動端末にインストールされたブラインド操作専用アプリケーションを用いて動作時刻の設定を行い、その時刻により電動遮蔽装置を自動制御するものとなっている。しかし、移動端末に別途インストールされている時計アプリケーションで別の起床時刻をアラーム設定した場合、アラームとブラインド操作専用アプリケーションとは関連性がない為、ブラインド操作専用アプリケーションの時刻もアラーム時刻に合わせて設定変更する必要があり、タイマー設定に関する操作が煩わしいという問題がある。
【０００９】
本発明の目的は、上述した問題に鑑みて、利便性を向上させる電動遮蔽装置操作用の移動端末向けプログラム、移動端末、及び電動遮蔽装置用制御システムを提供することにある。
【課題を解決するための手段】
【００１０】
本発明による第１態様の電動遮蔽装置操作用の移動端末向けプログラムは、操作対象の電動遮蔽装置における所定動作を所定時刻で自動制御するための所定のタイマー設定又は所定スケジュールで自動制御するためのスケジュール設定、或いは外部センサーに基づく自動動作の直前に該自動動作を行う直前状態にある旨を示す自動動作直前通知を当該通信端末に行うよう、当該操作対象の電動遮蔽装置に対し該自動動作の設定を行う自動動作設定手段と、当該操作対象の電動遮蔽装置からの自動動作の直前に自動動作を行う直前状態にある旨を示す自動動作直前通知の受信を監視する自動動作直前通知監視手段と、前記自動動作直前通知の受信時に、当該移動端末に対する音声又は表示画面上のポップアップ表示、或いは連携するスマートスピーカーに対する音声によりユーザーに対し自動動作の実行拒否又は実行応諾に関する問い合わせを行う問い合わせ手段と、前記問い合わせの応答に応じて当該自動動作の実行又は非実行を指示する信号を当該操作対象の電動遮蔽装置に発信する自動動作実行判定指示手段と、を当該移動端末に機能させるためのプログラムであることを特徴とする。
【００１１】
また、本発明による第１態様の電動遮蔽装置操作用の移動端末向けプログラムにおいて、前記自動動作実行判定指示手段は、前記問い合わせの応答として当該自動動作の実行応諾の応答時、又は未応答で所定時間経過時に、当該自動動作設定に係る所定動作を実行可として判定して当該自動動作の実行を指示する信号を当該操作対象の電動遮蔽装置に発信し、或いは実行拒否の応答時に、当該自動動作の非実行を指示する信号を当該操作対象の電動遮蔽装置に発信する機能を有することを特徴とする。
【００１２】
更に、本発明による第２態様の電動遮蔽装置操作用の移動端末向けプログラムは、電動遮蔽装置操作用の移動端末向けプログラムであって、操作対象の電動遮蔽装置における所定動作を所定時刻で自動制御するための所定のタイマー設定を当該移動端末からの遠隔操作とするタイマー遠隔動作の設定を行うタイマー遠隔動作設定手段と、前記タイマー遠隔動作が当該移動端末にインストールされている時計アプリケーションにおけるアラーム設定と連動するよう、前記時計アプリケーションとの連携を設定する時計アプリケーション連携設定手段と、前記時計アプリケーションにおけるアラーム設定によるアラーム時刻、又はアラームの起動、或いはアラームの解除を、前記タイマー遠隔動作を実行する契機として監視するアラーム監視手段と、前記タイマー遠隔動作を実行する契機時に、前記タイマー遠隔動作を実行する信号を当該操作対象の電動遮蔽装置に発信するタイマー遠隔動作実行手段と、を当該移動端末に機能させるためのプログラムであることを特徴とする。
【００１３】
また、本発明による第２態様の電動遮蔽装置操作用の移動端末向けプログラムにおいて、前記タイマー遠隔動作設定手段は、前記アラーム時刻が複数設定されている際に個々のアラーム時刻に応じた前記電動遮蔽装置の所定動作を行うよう、区分された時刻範囲で当該タイマー遠隔動作の設定を行う手段を有することを特徴とする。
【００１４】
また、本発明による第２態様の電動遮蔽装置操作用の移動端末向けプログラムにおいて、前記タイマー遠隔動作実行手段は、前記タイマー遠隔動作を実行する直前に、当該移動端末に対する音声又は表示画面上のポップアップ表示、或いは連携するスマートスピーカーに対する音声によりユーザーに対し自動動作の実行拒否又は実行応諾に関する問い合わせを行う手段と、前記問い合わせの応答として、実行応諾の応答時、又は未応答で所定時間経過時に、当該タイマー遠隔動作を実行する信号を当該操作対象の電動遮蔽装置に発信する手段と、を有することを特徴とする。
【００１５】
また、本発明による第２態様の電動遮蔽装置操作用の移動端末向けプログラムにおいて、前記タイマー遠隔動作実行手段は、該タイマー遠隔動作を実行する信号を発信する前に、当該操作対象の電動遮蔽装置に対して状態確認要求を示す信号を発信し、その応答として得られる遮蔽材の開閉状態を示す状態情報から当該タイマー遠隔動作における動作設定の状態にあるか否かを判定し、当該動作設定の状態にないと判定したときのみ当該タイマー遠隔動作を実行する信号を当該操作対象の電動遮蔽装置に発信する手段を有することを特徴とする。
【００１６】
更に、本発明による移動端末は、本発明に係る移動端末向けプログラムがブラインド操作専用アプリケーションとしてインストールされていることを特徴とする。
【００１７】
更に、本発明による電動遮蔽装置用制御システムは、本発明による移動端末と、該移動端末からの操作で遮蔽材を開閉動作する電動遮蔽装置とを備えることを特徴とする。
【発明の効果】
【００１８】
本発明によれば、電動遮蔽装置操作用の移動端末における利便性を向上させることができる。
【図面の簡単な説明】
【００１９】
【図１】本発明による一実施形態の電動遮蔽装置用制御システムの概略構成を示す図である。
【図２】本発明による一実施形態の電動遮蔽装置用制御システムにおける実施例１の移動端末の概略構成を示すブロック図である。
【図３】本発明による一実施形態の電動遮蔽装置用制御システムにおける自動動作問い合わせ制御に関する実施例１の移動端末の動作を示すフローチャートである。
【図４】本発明による一実施形態の電動遮蔽装置用制御システムにおける実施例２の移動端末の概略構成を示すブロック図である。
【図５】本発明による一実施形態の電動遮蔽装置用制御システムにおけるタイマー遠隔動作の制御に関する実施例２の移動端末の動作を示すフローチャートである。
【図６】本発明による一実施形態の電動遮蔽装置用制御システムにおける実施例３の移動端末の概略構成を示すブロック図である。
【図７】本発明による一実施形態の電動遮蔽装置用制御システムにおけるタイマー遠隔動作の問い合わせ制御に関する実施例３の移動端末の動作を示すフローチャートである。
【発明を実施するための形態】
【００２０】
以下、図面を参照して、本発明による一実施形態の電動遮蔽装置７操作用の移動端末１向けプログラム、移動端末１、及び電動遮蔽装置７用制御システムについて説明する。
【００２１】
（電動遮蔽装置用制御システム）
本発明による一実施形態の電動遮蔽装置７用制御システムの概略構成を示す図である。電動遮蔽装置用制御システムは、電動で遮蔽材を開閉動作する１台以上の電動遮蔽装置７と、この電動遮蔽装置７を遠隔操作可能とする移動端末１とを少なくとも備える。図１に示す例では、電動遮蔽装置用制御システムは、移動端末１と連携動作するスマートスピーカー２、移動端末１及び電動遮蔽装置７間をＷｉ−Ｆｉ等の近距離無線通信で通信接続する無線ルーター５、及び遠隔操作可能とする全ての電動遮蔽装置７の状態を監視し、移動端末１やパーソナルコンピュータ等の固定端末（図示せず）を用いて、電動遮蔽装置７の状態を確認することや、電動遮蔽装置７の遮蔽材の開閉を遠隔操作できるように制御管理するホームサーバー５が設けられている。
【００２２】
移動端末１は、タッチパネル式の表示画面を有し、ユーザーによる所定種類のタッチ操作（スワイプ操作、ピンチイン操作、ピンチアウト操作、フリック操作、所定回数のタップ操作、及びロングタップ操作を含む）を検出し、そのタッチ操作に予め関連付けた動作を行うよう構成され、例えばスマートフォンやタブレット等とすることができる。本実施形態に係る移動端末１は、近距離無線通信による無線ルーター５を介して、或いは直接的に、屋内の操作対象の電動遮蔽装置７の遮蔽材の開閉を操作可能とする。例えば、移動端末１は、無線ルーター５に対するＷｉ−Ｆｉ等の近距離無線通信を介して、電動遮蔽装置７と直接、又はホームサーバー６が無線ルーター５に接続されて設けられているときはそのホームサーバー６経由で、電動遮蔽装置７と相互通信接続可能となっている。尚、無線ルーター５は、インターネット等の通信網３上の一機器として構成されており、屋外との通信接続を許容するものとなっている。また、ホームサーバー６は、遠隔操作可能とする全ての電動遮蔽装置７の状態を監視し、移動端末１やパーソナルコンピュータ等の固定端末（図示せず）を用いて、電動遮蔽装置７の状態を確認することや、電動遮蔽装置７の遮蔽材の開閉を遠隔操作できるように制御管理するよう設置されているが、本実施形態においては必ずしも設けていなくともよい。更に、スマートスピーカー２が移動端末１に対し連携動作するよう当該屋内に設置されているときは、スマートスピーカー２から音声で電動遮蔽装置７の遮蔽材の開閉を操作可能である。
【００２３】
電動遮蔽装置７は、電動で遮蔽材を開閉動作する、例えば縦型又は横型ブライド、ロールスクリーン、カーテンレール、たくし上げカーテン、或いはプリーツスクリーンなどとすることができ、図１に示す例では、代表的にブライドとロールスクリーンが各間仕切り領域（例えば、リビング、寝室、部屋Ａ、…）に１以上設けられている。
【００２４】
電動遮蔽装置７には、その遮蔽材の開閉動作を操作可能とするスイッチ７２等が接続されている（ただし、無線リモートコントローラによる操作も可能としているが図示略）。また、屋内に設置されている１台以上の電動遮蔽装置７のうち日照センサー７１が設けられた電動遮蔽装置７を含めることができ、日照センサー７１の動作条件検知に基づき遮蔽材の開閉を自動制御できる。ここでは、日照センサー７１を例としているが、遮蔽材の開閉の自動制御に用いる任意の外部センサーを設け、その外部センサーの動作条件検知に基づき遮蔽材の開閉を自動制御できる電動遮蔽装置７を含めることができる。
【００２５】
また、電動遮蔽装置７には、スイッチ７２等による操作信号を受け付け、遮蔽材の開閉動作を操作可能とする制御ユニット７０が設けられている。
【００２６】
また、制御ユニット７０は、移動端末１との直接的、又は無線ルーター５やホームサーバー６経由の間接的な近距離無線通信を行う機能と、移動端末１からの操作を基に電動で遮蔽材を開閉動作する機能と、遮蔽材の指定された開閉動作を指定時刻、指定曜日、及び指定日時にて自動的に行うためのスケジュール設定、又は遮蔽材の指定された開閉動作を所定時刻で自動的に行うためのタイマー設定、或いは外部センサーに基づく自動動作の設定に関して、移動端末１からの設定要求を受け付けて所定の記憶部（図示せず）に記憶保持し、当該スケジュール設定又はタイマー設定、或いは外部センサーに基づく自動動作の設定に従って、遮蔽材の指定された開閉動作を自動的に実行する機能と、を有する。尚、移動端末１（及びスイッチ７２等）側で当該スケジュール設定又はタイマー設定を記憶保持し管理する形態とするときは、制御ユニット７０内で当該スケジュール設定又はタイマー設定を記憶保持する必要はない。
【００２７】
また、日照センサー７１等の外部センサーが設けられた電動遮蔽装置７においては、制御ユニット７０は、その外部センサーの動作条件検知に基づき遮蔽材の開閉を自動制御する機能を有する。
【００２８】
このように、電動遮蔽装置７は、スケジュール設定やタイマー設定、或いは外部センサーに基づいて、遮蔽材の開閉を自動制御で行うものとなっている。そして、操作対象の電動遮蔽装置７に対し、ユーザーは、移動端末１を用いて、移動端末１にインストールされたブラインド操作専用アプリケーションを起動し実行させ、スケジュール設定やタイマー設定を行うことができるものとなっている。
【００２９】
ところで、ユーザーの時事の都合によっては、これらのタイマー設定やスケジュール設定、或いは外部センサーに基づく自動制御で、電動遮蔽装置が動作して欲しくはない場合もある。この問題を解決するべく、本実施形態に係る移動端末１は、図２及び図３を参照して後述する実施例１のように、電動遮蔽装置７からの自動動作直前通知を監視し、自動動作直前通知の受信を基にユーザーに対して自動動作を実行させるか否かを問い合わせ、その問い合わせに対する応答を判定して自動動作実行させるか否かを当該電動遮蔽装置７に通知するように構成される。
【００３０】
また、タイマー設定に関して、移動端末１に別途インストールされている時計アプリケーションで起床時刻をアラーム設定している場合、ブラインド操作専用アプリケーションの時刻もアラーム時刻に合わせて設定変更する操作が煩わしいことがある。この問題を解決するべく、本実施形態に係る移動端末１は、図４及び図５を参照して後述する実施例２のように、当該電動遮蔽装置７のタイマー設定に関して、時計アプリケーションにおけるアラーム設定とブラインド操作専用アプリケーションにおけるタイマー設定とを連携させたタイマー遠隔動作を行うよう当該電動遮蔽装置７を制御するように構成される。
【００３１】
更に、この実施例２に係るタイマー設定に関して、移動端末１は、その実施例１，２の技法を組み合わせた実施例３のブラインド操作専用アプリケーションを構成することができる。
【００３２】
以下、電動遮蔽装置７操作用の移動端末１向けプログラムとして構成される各実施例のブラインド操作専用アプリケーションがインストールされた移動端末１の動作について、順に説明する。
【００３３】
〔実施例１〕
（移動端末）
図２は、本発明による一実施形態の電動遮蔽装置７用制御システムにおける実施例１の移動端末１の概略構成を示すブロック図である。図２において、本実施形態の電動遮蔽装置７用制御システムに係る構成要素のみを説明するが、移動端末１は、制御部１１、記憶部１２、及び通信部１３を備える。移動端末１には実施例１のブラインド操作専用アプリケーション１１ａが制御部１１の機能を実現するプログラムとしてインストールされている。
【００３４】
通信部１３は、ユーザー操作に基づいた制御部１１の制御により操作対象のデバイスである電動遮蔽装置７との通信を確立する機能を有し、電動遮蔽装置７に対する設定又は操作を行うユーザーインターフェース（ＵＩ）が移動端末１の表示画面上に提示される。
【００３５】
尚、本例の通信部１３は、スマートスピーカー２と連携動作するよう近距離無線通信で相互通信接続する機能を有する。
【００３６】
制御部１１は、マイクロコンピュータを備えるように構成され、ユーザー操作に基づいた当該マイクロコンピュータの制御により、記憶部１２から実施例１のブラインド操作専用アプリケーション１１ａが読み出されて実行されることで、制御部１１は、デバイス操作部１１１、自動動作設定部１１２、自動動作直前通知監視部１１３、問い合わせ部１１４、及び自動動作実行判定指示部１１５の各機能を有するように構成される。
【００３７】
デバイス操作部１１１は、当該操作対象の電動遮蔽装置７を指定し、その遮蔽材の開閉を操作するためのＵＩを移動端末１の表示画面上に提示し、操作対象の電動遮蔽装置７における遮蔽材の開閉を遠隔操作する機能部である。
【００３８】
自動動作設定部１１２は、事前準備として、操作対象の電動遮蔽装置７における所定動作を所定時刻で自動制御するための所定のタイマー設定又は所定スケジュールで自動制御するためのスケジュール設定、或いは日照センサー７１等の外部センサーに基づく自動動作の設定を行う機能部である。この自動動作設定部１１２による設定には、当該操作対象の電動遮蔽装置７が、自動動作の直前に、その自動動作を行う直前状態にある旨を示す自動動作直前通知を、当該移動端末１に通知するよう設定することが含まれている。
【００３９】
この自動動作設定部１１２による設定操作により、当該操作対象の電動遮蔽装置７は、制御ユニット７０の機能により、その自動動作の設定要求を受け付けて所定の記憶部（図示せず）に記憶保持し、当該スケジュール設定又はタイマー設定、或いは外部センサーに基づく自動動作の設定に従って、遮蔽材の指定された開閉動作を自動的に実行する。また、当該操作対象の電動遮蔽装置７は、これらの自動動作の直前に、その自動動作を行う直前状態にある旨を示す自動動作直前通知を、当該移動端末１に通知する。
【００４０】
自動動作直前通知監視部１１３は、当該操作対象の電動遮蔽装置７からの自動動作直前通知の受信を監視して、自動動作直前通知の受信したときには、その旨を問い合わせ部１１４に送出する機能部である。
【００４１】
問い合わせ部１１４は、自動動作直前通知の受信した旨を受け付けたときに、即ち自動動作直前に、ユーザーに対し自動動作の実行拒否又は実行応諾に関する問い合わせを行う機能部である。この問い合わせは、自端末である移動端末１に対する音声又は表示画面上のポップアップ表示、或いは連携するスマートスピーカー２に対する音声により行う。
【００４２】
自動動作実行判定指示部１１５は、問い合わせ部１１４による問い合わせの応答（実行拒否又は実行応諾の有無）を判定し、その応答に応じて当該自動動作の実行又は非実行を指示する信号を、通信部１３を介して当該操作対象の電動遮蔽装置７に発信する機能部である。
【００４３】
より具体的には、自動動作実行判定指示部１１５は、問い合わせ部１１４による問い合わせの応答として、実行応諾の応答時、又は未応答で所定時間経過（例：１分）時に、当該自動動作設定に係る所定動作を実行可として判定して当該自動動作の実行を指示する信号を当該操作対象の電動遮蔽装置７に発信し、或いは実行拒否の応答時に、当該自動動作の非実行を指示する信号を当該操作対象の電動遮蔽装置７に発信する。
【００４４】
最終的に、当該操作対象の電動遮蔽装置７は、自動動作実行判定指示部１１５による当該自動動作の実行又は非実行を指示する信号を受け付けて、これに応じた制御を行う。
【００４５】
図３は、自動動作問い合わせ制御に関する実施例１の移動端末１の動作を示すフローチャートである。移動端末１は、実施例１のブラインド操作専用アプリケーション１１ａの実行によって、その制御部１１が、デバイス操作部１１１、自動動作設定部１１２、自動動作直前通知監視部１１３、問い合わせ部１１４、及び自動動作実行判定指示部１１５の各機能を有するようになる。
【００４６】
移動端末１は、自動動作問い合わせ制御に関する事前準備として、自動動作設定部１１２による設定操作により、操作対象の電動遮蔽装置７に対する所定のタイマー設定やスケジュール設定、或いは外部センサーに基づく自動動作の設定を行う（ステップＳ１）。
【００４７】
この自動動作設定部１１２による設定が為されると、当該操作対象の電動遮蔽装置７は、当該自動動作の設定処理を実行し（ステップＳ２）、自動動作の直前に、その自動動作を行う直前状態にある旨を示す自動動作直前通知を当該移動端末１に通知するよう作動する（ステップＳ３）。
【００４８】
移動端末１は、自動動作直前通知監視部１１３により、当該操作対象の電動遮蔽装置７からの自動動作直前通知の受信を監視する（ステップＳ４）。
【００４９】
そして、移動端末１は、自動動作直前通知の受信した旨を受け付けたときに、即ち自動動作直前に、問い合わせ部１１４により、ユーザーに対し自動動作の実行拒否又は実行応諾に関する問い合わせを行う（ステップＳ５）。
【００５０】
この問い合わせは、図３に示すように、自端末である移動端末１に対する音声又は表示画面上のポップアップ表示１ａ、或いは連携するスマートスピーカー２に対する音声により行う。
【００５１】
続いて、移動端末１は、自動動作実行判定指示部１１５により、その問い合わせの応答（実行拒否又は実行応諾の有無）を判定する（ステップＳ６）。例えば自動動作実行判定指示部１１５は、図３に示すポップアップ表示１ａ上の“やめる（実行拒否）”ボタン１ｂの押下で、或いはスマートスピーカー２経由の“やめて（実行拒否）”、又は“実行して（実行応諾）”等により、その問い合わせの応答（実行拒否又は実行応諾の有無）を判定する。
【００５２】
続いて、移動端末１は、自動動作実行判定指示部１１５により、その応答に応じて当該自動動作の実行又は非実行を指示する信号を当該操作対象の電動遮蔽装置７に発信する（ステップＳ７）。より具体的には、自動動作実行判定指示部１１５は、問い合わせ部１１４による問い合わせの応答として、実行応諾の応答時、又は未応答で所定時間経過（例：１分）時に、当該自動動作設定に係る所定動作を実行可として判定して当該自動動作の実行を指示する信号を当該操作対象の電動遮蔽装置７に発信し、或いは実行拒否の応答時に、当該自動動作の非実行を指示する信号を当該操作対象の電動遮蔽装置７に発信する。
【００５３】
最終的に、当該操作対象の電動遮蔽装置７は、自動動作実行判定指示部１１５による当該自動動作の実行又は非実行を指示する信号を受け付けて、これに応じた制御を行う（ステップＳ８）。
【００５４】
これにより、ユーザーの時事の都合によって、これらのタイマー設定やスケジュール設定、或いは外部センサーに基づく自動制御を行うか否を制御することができるようになり、当該電動遮蔽装置７の自動制御に関する利便性が向上するようになる。
【００５５】
〔実施例２〕
（移動端末）
図４は、本発明による一実施形態の電動遮蔽装置７用制御システムにおける実施例２の移動端末１の概略構成を示すブロック図である。尚、実施例１と同様な構成要素には同一の参照番号を付している。図４において、本実施形態の電動遮蔽装置７用制御システムに係る構成要素のみを説明するが、移動端末１は、制御部１１、記憶部１２、及び通信部１３を備える。移動端末１には実施例２のブラインド操作専用アプリケーション１１ｂが制御部１１の機能を実現するプログラムとしてインストールされている。
【００５６】
通信部１３は、ユーザー操作に基づいた制御部１１の制御により操作対象のデバイスである電動遮蔽装置７との通信を確立する機能を有し、電動遮蔽装置７に対する設定又は操作を行うユーザーインターフェース（ＵＩ）が移動端末１の表示画面上に提示される。
【００５７】
制御部１１は、マイクロコンピュータを備えるように構成され、ユーザー操作に基づいた当該マイクロコンピュータの制御により、記憶部１２から実施例１のブラインド操作専用アプリケーション１１ｂが読み出されて実行されることで、制御部１１は、デバイス操作部１１１、タイマー遠隔動作設定部１１２ａ、時計アプリケーション連携設定部１１２ｂ、アラーム監視部１１３ａ、及びタイマー遠隔動作実行部１１５ａの各機能を有するように構成される。
【００５８】
デバイス操作部１１１は、当該操作対象の電動遮蔽装置７を指定し、その遮蔽材の開閉を操作するためのＵＩを移動端末１の表示画面上に提示し、操作対象の電動遮蔽装置７における遮蔽材の開閉を遠隔操作する機能部である。
【００５９】
タイマー遠隔動作設定部１１２ａは、事前準備として、操作対象の電動遮蔽装置７における所定動作を所定時刻で自動制御するための所定のタイマー設定を移動端末１からの遠隔操作とするタイマー遠隔動作の設定を行う機能部である。このタイマー遠隔動作設定部１１２ａによる設定には、遮蔽材の指定された開閉動作を所定時刻で自動的に行うためのタイマー設定を行うための移動端末１の表示画面上へのＵＩ提示とその設定値を記憶部１２に記憶保持して管理することが含まれている。
【００６０】
このタイマー遠隔動作設定部１１２ａによる設定操作により、当該操作対象の電動遮蔽装置７は、制御ユニット７０の機能により所定の記憶部（図示せず）に記憶保持され設定されていたタイマー設定はクリアされ、タイマー遠隔動作の設定として移動端末１からの遠隔操作とするように設定される。尚、当該操作対象の電動遮蔽装置７における制御ユニット７０内で当該タイマー設定を記憶保持する形態ではないときは、移動端末１（及びスイッチ７２等）から当該操作対象の電動遮蔽装置７に向けて設定制御する必要はなく移動端末１内の設定のみを行えばよい。
【００６１】
時計アプリケーション連携設定部１１２ｂは、タイマー遠隔動作設定部１１２ａによるタイマー遠隔動作の設定操作に伴って、そのタイマー遠隔動作が移動端末１に別途インストールされている時計アプリケーションにおけるアラーム設定と連動するよう、時計アプリケーションとの連携（ペアリング）を設定する機能部である。尚、時計アプリケーション連携設定部１１２ｂによる時計アプリケーションとの連携（ペアリング）を設定しないときは、タイマー遠隔動作は時計アプリケーションとは独立した従来通りのタイマー設定の動作となる。
【００６２】
アラーム監視部１１３ａは、時計アプリケーションにおけるアラーム設定によるアラーム時刻、又はアラームの起動、或いはアラームの解除を、タイマー遠隔動作を実行する契機として監視する機能部であり、当該アラーム設定によるアラーム時刻になったとき、又はアラームの起動が発生したとき、或いはユーザーの操作によりアラームの解除が為されたときに、タイマー遠隔動作を実行する契機として、その旨をタイマー遠隔動作実行部１１５ａに送出する機能部である。
【００６３】
タイマー遠隔動作実行部１１５ａは、アラーム監視部１１３ａによるアラーム監視により、当該アラーム設定によるアラーム時刻になったとき、又はアラームの起動が発生したとき、或いはユーザーの操作によりアラームの解除が為されたときに、当該タイマー遠隔動作を実行する信号を、通信部１３を介して当該操作対象の電動遮蔽装置７に発信する機能部である。
【００６４】
尚、タイマー遠隔動作実行部１１５ａは、該タイマー遠隔動作を実行する信号を発信する前に、当該操作対象の電動遮蔽装置７に対して状態確認要求を示す信号を発信し、その応答として得られる遮蔽材の開閉状態を示す状態情報からタイマー遠隔動作における動作設定の状態にあるか否かを判定し、既に当該動作設定の状態にあると判定したときは当該タイマー遠隔動作を実行する信号の発信を省略してもよい。
【００６５】
最終的に、当該操作対象の電動遮蔽装置７は、タイマー遠隔動作実行部１１５ａによる当該タイマー遠隔動作を実行する信号を受け付けて、これに応じた制御を行う。
【００６６】
図５は、タイマー遠隔動作の制御に関する実施例２の移動端末１の動作を示すフローチャートである。移動端末１は、実施例２のブラインド操作専用アプリケーション１１ｂの実行によって、その制御部１１が、デバイス操作部１１１、タイマー遠隔動作設定部１１２ａ、時計アプリケーション連携設定部１１２ｂ、アラーム監視部１１３ａ、及びタイマー遠隔動作実行部１１５ａの各機能を有するようになる。
【００６７】
移動端末１は、タイマー遠隔動作の制御に関する事前準備として、タイマー遠隔動作設定部１１２ａによる設定操作により、操作対象の電動遮蔽装置７における所定動作を所定時刻で自動制御するための所定のタイマー設定を移動端末１からの遠隔操作とするタイマー遠隔動作の設定を行う機能部である（ステップＳ１１）。
【００６８】
このタイマー遠隔動作設定部１１２ａによる設定が為されると、当該操作対象の電動遮蔽装置７は、制御ユニット７０の機能により所定の記憶部（図示せず）に記憶保持され設定されていたタイマー設定はクリアされ、タイマー遠隔動作の設定として移動端末１からの遠隔操作とするように設定される（ステップＳ１２）。尚、当該操作対象の電動遮蔽装置７における制御ユニット７０内で当該タイマー設定を記憶保持する形態ではないときは、移動端末１（及びスイッチ７２等）から当該操作対象の電動遮蔽装置７に向けて設定制御する必要はなく移動端末１内の設定のみを行えばよい。
【００６９】
移動端末１は、時計アプリケーション連携設定部１１２ｂの設定操作により、タイマー遠隔動作設定部１１２ａによるタイマー遠隔動作の設定操作に伴って、そのタイマー遠隔動作が移動端末１に別途インストールされている時計アプリケーションにおけるアラーム設定と連動するよう、時計アプリケーションとの連携（ペアリング）を設定する（ステップＳ１３）。
【００７０】
続いて、移動端末１は、時計アプリケーションとの連携設定を経て、アラーム監視部１１３ａにより、時計アプリケーションにおけるアラーム設定によるアラーム時刻、又はアラームの起動、或いはアラームの解除を監視する（ステップＳ１４）。
【００７１】
そして、移動端末１は、アラーム監視部１１３ａによるアラーム監視により、当該アラーム設定によるアラーム時刻になったとき、又はアラームの起動が発生したとき（ステップＳ１５）、或いはユーザーの操作によりアラームの解除が為されたときに（ステップＳ１６）、タイマー遠隔動作実行部１１５ａにより、当該タイマー遠隔動作を実行する信号を発信する構成とすることもできるが、好適には、当該操作対象の電動遮蔽装置７から得られる遮蔽材の開閉状態を示す状態情報を基に、当該タイマー遠隔動作を実行する信号を発信するか否かを判定する（ステップＳ１７）。
【００７２】
この判定を行うために、タイマー遠隔動作実行部１１５ａは、当該操作対象の電動遮蔽装置７に対して状態確認要求を示す信号を発信し、当該操作対象の電動遮蔽装置７は、その応答として遮蔽材の開閉状態を示す状態情報を移動端末１に返信する（ステップＳ１８）。タイマー遠隔動作実行部１１５ａは、その状態情報からタイマー遠隔動作における動作設定の状態にあるか否かを判定し、既に当該動作設定の状態にあると判定したときは当該タイマー遠隔動作を実行する信号の発信を省略し、当該動作設定の状態にないと判定したときに、当該タイマー遠隔動作を実行する信号を当該操作対象の電動遮蔽装置７に発信する（ステップＳ１９）。
【００７３】
最終的に、当該操作対象の電動遮蔽装置７は、タイマー遠隔動作実行部１１５ａによる当該タイマー遠隔動作を実行する信号を受け付けて、これに応じた制御を行う（ステップＳ２０）。
【００７４】
これにより、当該電動遮蔽装置７のタイマー設定に関して、時計アプリケーションにおけるアラーム設定とブラインド操作専用アプリケーションにおけるタイマー設定とを連携させたタイマー遠隔動作を行うよう当該電動遮蔽装置７を制御することができるようになり、当該電動遮蔽装置７の自動制御に関する利便性が向上するようになる。
【００７５】
〔実施例３〕
（移動端末）
図６は、本発明による一実施形態の電動遮蔽装置７用制御システムにおける実施例３の移動端末１の概略構成を示すブロック図である。尚、実施例１，２と同様な構成要素には同一の参照番号を付している。図６において、本実施形態の電動遮蔽装置７用制御システムに係る構成要素のみを説明するが、移動端末１は、制御部１１、記憶部１２、及び通信部１３を備える。移動端末１には実施例３のブラインド操作専用アプリケーション１１ｃが制御部１１の機能を実現するプログラムとしてインストールされている。
【００７６】
通信部１３は、ユーザー操作に基づいた制御部１１の制御により操作対象のデバイスである電動遮蔽装置７との通信を確立する機能を有し、電動遮蔽装置７に対する設定又は操作を行うユーザーインターフェース（ＵＩ）が移動端末１の表示画面上に提示される。
【００７７】
尚、本例の通信部１３は、スマートスピーカー２と連携動作するよう近距離無線通信で相互通信接続する機能を有する。
【００７８】
制御部１１は、マイクロコンピュータを備えるように構成され、ユーザー操作に基づいた当該マイクロコンピュータの制御により、記憶部１２から実施例１のブラインド操作専用アプリケーション１１ｃが読み出されて実行されることで、制御部１１は、デバイス操作部１１１、タイマー遠隔動作設定部１１２ａ、時計アプリケーション連携設定部１１２ｂ、アラーム監視部１１３ａ、問い合わせ部１１４及びタイマー遠隔動作実行部１１５ｂの各機能を有するように構成される。
【００７９】
即ち、実施例３に係る制御部１１は、実施例２と比較して、実施例１の問い合わせ部１１４が設けられている点、及び実施例１の自動動作実行判定指示部１１５の機能と実施例２のタイマー遠隔動作実行部１１５ａの機能を併せ持つタイマー遠隔動作実行部１１５ｂが設けられている点で相違しており、その他の機能は同様である。
【００８０】
デバイス操作部１１１は、当該操作対象の電動遮蔽装置７を指定し、その遮蔽材の開閉を操作するためのＵＩを移動端末１の表示画面上に提示し、操作対象の電動遮蔽装置７における遮蔽材の開閉を遠隔操作する機能部である。
【００８１】
タイマー遠隔動作設定部１１２ａは、事前準備として、操作対象の電動遮蔽装置７における所定動作を所定時刻で自動制御するための所定のタイマー設定を移動端末１からの遠隔操作とするタイマー遠隔動作の設定を行う機能部である。このタイマー遠隔動作設定部１１２ａによる設定には、遮蔽材の指定された開閉動作を所定時刻で自動的に行うためのタイマー設定を行うための移動端末１の表示画面上へのＵＩ提示とその設定値を記憶部１２に記憶保持して管理することが含まれている。
【００８２】
このタイマー遠隔動作設定部１１２ａによる設定操作により、当該操作対象の電動遮蔽装置７は、制御ユニット７０の機能により所定の記憶部（図示せず）に記憶保持され設定されていたタイマー設定はクリアされ、タイマー遠隔動作の設定として移動端末１からの遠隔操作とするように設定される。尚、当該操作対象の電動遮蔽装置７における制御ユニット７０内で当該タイマー設定を記憶保持する形態ではないときは、移動端末１（及びスイッチ７２等）から当該操作対象の電動遮蔽装置７に向けて設定制御する必要はなく移動端末１内の設定のみを行えばよい。
【００８３】
時計アプリケーション連携設定部１１２ｂは、タイマー遠隔動作設定部１１２ａによるタイマー遠隔動作の設定操作に伴って、そのタイマー遠隔動作が移動端末１に別途インストールされている時計アプリケーションにおけるアラーム設定と連動するよう、時計アプリケーションとの連携（ペアリング）を設定する機能部である。尚、時計アプリケーション連携設定部１１２ｂによる時計アプリケーションとの連携（ペアリング）を設定しないときは、タイマー遠隔動作は時計アプリケーションとは独立した従来通りのタイマー設定の動作となる。
【００８４】
アラーム監視部１１３ａは、時計アプリケーションにおけるアラーム設定によるアラーム時刻、又はアラームの起動、或いはアラームの解除を、タイマー遠隔動作を実行する契機として監視する機能部であり、当該アラーム設定によるアラーム時刻になったとき、又はアラームの起動が発生したとき、或いはユーザーの操作によりアラームの解除が為されたときに、タイマー遠隔動作を実行する契機として、その旨を問い合わせ部１１４に送出する機能部である。
【００８５】
本実施例に係る問い合わせ部１１４は、タイマー遠隔動作を実行する直前に、ユーザーに対し自動動作の実行拒否又は実行応諾に関する問い合わせを行う機能部である。この問い合わせは、自端末である移動端末１に対する音声又は表示画面上のポップアップ表示、或いは連携するスマートスピーカー２に対する音声により行う。
【００８６】
タイマー遠隔動作実行部１１５ｂは、問い合わせ部１１４による問い合わせの応答（実行拒否又は実行応諾の有無）を判定し、実行応諾の応答時、又は未応答で所定時間経過（例：１分）時に、当該タイマー遠隔動作を実行する信号を、通信部１３を介して当該操作対象の電動遮蔽装置７に発信する機能部である。
【００８７】
尚、タイマー遠隔動作実行部１１５ｂは、該タイマー遠隔動作を実行する信号を発信する前に、当該操作対象の電動遮蔽装置７に対して状態確認要求を示す信号を発信し、その応答として得られる遮蔽材の開閉状態を示す状態情報からタイマー遠隔動作における動作設定の状態にあるか否かを判定し、既に当該動作設定の状態にあると判定したときは当該タイマー遠隔動作を実行する信号の発信を省略してもよい。
【００８８】
最終的に、当該操作対象の電動遮蔽装置７は、タイマー遠隔動作実行部１１５ｂによる当該タイマー遠隔動作を実行する信号を受け付けて、これに応じた制御を行う。
【００８９】
図５は、タイマー遠隔動作の問い合わせ制御に関する実施例３の移動端末１の動作を示すフローチャートである。尚、実施例２と同様な処理には同一の参照番号（ステップ番号）を付している。移動端末１は、実施例３のブラインド操作専用アプリケーション１１ｃの実行によって、その制御部１１が、デバイス操作部１１１、タイマー遠隔動作設定部１１２ａ、時計アプリケーション連携設定部１１２ｂ、アラーム監視部１１３ａ、問い合わせ部１１４及びタイマー遠隔動作実行部１１５ｂの各機能を有するようになる。
【００９０】
移動端末１は、タイマー遠隔動作の制御に関する事前準備として、タイマー遠隔動作設定部１１２ａによる設定操作により、所定動作を所定時刻で自動制御するための所定のタイマー設定を移動端末１からの遠隔操作とするタイマー遠隔動作の設定を行う（ステップＳ１１）。
【００９１】
このタイマー遠隔動作設定部１１２ａによる設定が為されると、当該操作対象の電動遮蔽装置７は、制御ユニット７０の機能により所定の記憶部（図示せず）に記憶保持され設定されていたタイマー設定はクリアされ、移動端末１からの遠隔操作とするように設定される（ステップＳ１２）。尚、当該操作対象の電動遮蔽装置７における制御ユニット７０内で当該タイマー設定を記憶保持する形態ではないときは、移動端末１（及びスイッチ７２等）から当該操作対象の電動遮蔽装置７に向けて設定制御する必要はなく移動端末１内の設定のみを行えばよい。
【００９２】
移動端末１は、時計アプリケーション連携設定部１１２ｂの設定操作により、タイマー遠隔動作設定部１１２ａによるタイマー遠隔動作の設定操作に伴って、そのタイマー遠隔動作が移動端末１に別途インストールされている時計アプリケーションにおけるアラーム設定と連動するよう、時計アプリケーションとの連携（ペアリング）を設定する（ステップＳ１３）。
【００９３】
続いて、移動端末１は、時計アプリケーションとの連携設定を経て、アラーム監視部１１３ａにより、時計アプリケーションにおけるアラーム設定によるアラーム時刻、又はアラームの起動、或いはアラームの解除を監視する（ステップＳ１４）。
【００９４】
そして、移動端末１は、アラーム監視部１１３ａによるアラーム監視により、当該アラーム設定によるアラーム時刻になったとき、又はアラームの起動が発生したとき（ステップＳ１５）、或いはユーザーの操作によりアラームの解除が為されたときに（ステップＳ１６）、問い合わせ部１１４により、タイマー遠隔動作の直前に、ユーザーに対し自動動作の実行拒否又は実行応諾に関する問い合わせを実施例１と同様に行う（ステップＳ１７ａ）。
【００９５】
続いて、移動端末１は、タイマー遠隔動作実行部１１５ｂにより、問い合わせ部１１４による問い合わせの応答（実行拒否又は実行応諾の有無）を判定し、実行応諾の応答時、又は未応答で所定時間経過（例：１分）時に、当該タイマー遠隔動作を実行する信号を、通信部１３を介して当該操作対象の電動遮蔽装置７に発信する構成とすることもできるが、好適には、当該操作対象の電動遮蔽装置７から得られる遮蔽材の開閉状態を示す状態情報を基に、当該タイマー遠隔動作を実行する信号を発信するか否かを判定する（ステップＳ１７ｂ）。
【００９６】
この判定を行うために、タイマー遠隔動作実行部１１５ｂは、当該操作対象の電動遮蔽装置７に対して状態確認要求を示す信号を発信し、当該操作対象の電動遮蔽装置７は、その応答として遮蔽材の開閉状態を示す状態情報を移動端末１に返信する（ステップＳ１８）。タイマー遠隔動作実行部１１５ｂは、その状態情報からタイマー遠隔動作における動作設定の状態にあるか否かを判定し、既に当該動作設定の状態にあると判定したときは当該タイマー遠隔動作を実行する信号の発信を省略し、当該動作設定の状態にないと判定したときに、当該タイマー遠隔動作を実行する信号を当該操作対象の電動遮蔽装置７に発信する（ステップＳ１９）。
【００９７】
最終的に、当該操作対象の電動遮蔽装置７は、タイマー遠隔動作実行部１１５ｂによる当該タイマー遠隔動作を実行する信号を受け付けて、これに応じた制御を行う（ステップＳ２０）。
【００９８】
これにより、当該電動遮蔽装置７のタイマー設定に関して、移動端末１のユーザーに対する問い合わせを行った上で、時計アプリケーションにおけるアラーム設定とブラインド操作専用アプリケーションにおけるタイマー設定とを連携させたタイマー遠隔動作を行うよう当該電動遮蔽装置７を制御することができるようになり、当該電動遮蔽装置７の自動制御に関する利便性が向上するようになる。
【００９９】
以上、特定の実施形態の例を挙げて本発明を説明したが、本発明は前述の実施形態の例に限定されるものではなく、その技術思想を逸脱しない範囲で種々変形可能である。例えば、上述した実施例２，３において、時計アプリケーションにおけるアラーム設定としてアラーム時刻が複数設定されているときは、個々のアラーム時刻に応じた電動遮蔽装置７の所定動作を行うよう、区分された時刻範囲（例えば朝・昼・夜）で当該タイマー遠隔動作の設定を行うようタイマー遠隔動作設定部１１２ａを構成することができる。
【産業上の利用可能性】
【０１００】
本発明によれば、移動端末１を用いた電動遮蔽装置７の自動制御に関する利便性が向上するようになるので、電動遮蔽装置７の自動制御に関する用途に有用である。
【符号の説明】
【０１０１】
１  移動端末
２  スマートスピーカー
５  無線ルーター
６  ホームサーバー
７  電動遮蔽装置
１１  制御部
１１ａ，１１ｂ，１１ｃ  ブラインド操作専用アプリケーション
１２  記憶部
１３  通信部
７０  制御ユニット
７１  日照センサー
７２  スイッチ
１１１  デバイス操作部
１１２  自動動作設定部
１１２ａ  タイマー遠隔動作設定部
１１２ｂ  時計アプリケーション連携設定部
１１３  自動動作直前通知監視部
１１３ａ  アラーム監視部
１１４  問い合わせ部
１１５  自動動作実行判定指示部
１１５ａ，１１５ｂ  タイマー遠隔動作実行部
【図１】
2020172789.tif 000003
【図２】
2020172789.tif 000004
【図３】
2020172789.tif 000005
【図４】
2020172789.tif 000006
【図５】
2020172789.tif 000007
【図６】
2020172789.tif 000008
【図７】
2020172789.tif 000009